(57)【要約】【課題】  奥行きの深い引出を収納ケース前面が狭い場所でも、引出の奥まで有効に利用できるようにする。又引出の差し替えを容易にして、フレキシブルな運用が出来るようにする。【解決手段】  収納物の必要に応じて引出の収納ケース（２）を仕切り板（３）で上下に複数段に仕切り、各段について、その幅方向に複数本の引出（４Ａ，４Ｂ）を並列に並べ、且つ直列方向にも複数本の引出（４Ｂ、５Ｂ）に分割し、且つ連結して収納する。収納ケース（２）の前面に誘導板（１６，１７）を支持し、前記直列に収納されている複数の引出（４Ｂ、５Ｂ）を連結状態で引出し、前記誘導板上に該連結を解除して横に並べて（又は縦に積み上げて）作業し、収容過程で又引出を連結して収納ケースに収納できるようにする。【選択図】図１
2005288082.tif 000002
【特許請求の範囲】
【請求項１】
収納ケースの引出し方向に直列に複数個の引出を収納する引出装置において該収納ケースの前面部に前記直列に収納されている引出を横方向又は上下方向に配列し得る支持具を備えたことを特徴とする引出装置。
【請求項２】
支持具は、少なくとも奥行きが引出の長さにほぼ等しく、幅が前記直列に収納された各引出の幅の総和に略等しい寸法を有し、その上面を前記収納ケースの仕切り板又は底板の上面と一致するように前記仕切り板又は底板の前面に支持された誘導板であることを特徴とする請求項１に記載の引出装置。
【請求項３】
支持具は、その上面に引出の案内手段を備えている誘導板であることを特徴とする請求項２に記載の引出装置。
【請求項４】
支持具は開時、前記収納ケースの底板又は仕切り板の上面に、その上面を一致させて支持され、閉時、上方に旋回して該収納ケースの前面を覆うように前記収納ケースの底板又は仕切り板の前面に旋回軸を介して開閉自在に固定されていることを特徴とする請求項２又は３に記載の引出装置。
【請求項５】
支持具は少なくとも最前列の引出を載置する座部を備えた昇降機構であって該昇降機構は、前記収納ケース前面で、少なくとも前記最後尾の引出が、該引出の直前の引出の上面に容易に載置できる位置まで下降して支持する位置制御機構を備えることを特徴とする請求項１に記載の引出装置。
【請求項６】
支持具は最前列の引出が該引出の両側面に設けられた平行四辺形を成すリンク機構の一辺部で支持され、前記最前列の引出が、前記収納ケース前面で少なくとも前記尾の直前の引出上面に容易に載置出来る位置まで下降して支持される様に収納ケース側の部材に前記四辺形の対抗する一辺部で支持されていることを特徴とする請求項１に記載の引出装置。
【請求項７】
直列に配列された複数の各引出の相対面に横方向又は上下方向に移動す引出し過程では離脱し、収納過程では連結する連結器を備えていることを特徴とする請求項１又は請求項５に記載の引出装置。
【発明の詳細な説明】
【技術分野】
【０００１】  本発明は引出装置に関し特に奥行きが深い引出を奥まで有効に品物を収納でき、且つ該引出装置の前面が狭い場合でも使用できる引出装置の改良に関するものである。
【背景技術】
【０００２】  引出装置の中で例えば押入に収納する引出のように奥行きが深い場合には、収納品を奥まで収納するには、該引出の前面に該引出の幅と奥行きに相当するスペースが必要である。その上、引出の引出、収納動作により収納品が崩れたり移動することを防止する配慮も必要である。そのために引出の中に上の開いた箱を並べて配置したり、仕切を設ける等、色々と改善策が試みられている。【０００３】  又奥行きが深い引出を２つに分割して何れか一方を取り出して使用できるように工夫されたものもある。その例として特許文献１、特許文献２がある。
【特許文献１】実用新案登録第３０５００１０号
【特許文献２】特開平５−３０９０２１号
【０００４】  上記特許文献２について図９により説明する。図９は引出装置の斜視全体図である。図において４０は引出装置である。該引出装置４０において４１は収納ケースである。該収納ケース４１は２枚の仕切り板４２、４３により上下３段に仕切られている。４４は前列の引出群である。４５は後列の引出群である。該引出群４４，４５は各々前記収納ケース４１の内法幅のほぼ１／４の幅を持ち、奥行きは収納ケース４１の奥行きのほぼ１／２の長さで、上段前列、左側より４４Ａ、４４Ｂ、４４Ｃと３本の引出を収納し且つ１本分の引出の余裕スペースを設けている。【０００５】  同様に中段、下段についても左側から引出４４Ｄ、４４Ｅ、４４Ｆ、及び引出４４Ｇ，４４Ｈ，４４Ｉを収納し、共に引出１本分の余裕スペースを確保している。後列も上段左から右へ引出４５Ａ，４５Ｂ、４５Ｃ、４５Ｄを収納している。同様にして後列中段及び下段についても図示ししない引出４５Ｅ，４５Ｆ、４５Ｇ，４５Ｈ及び、４５Ｉ、４５Ｊ、４５Ｋ、４５Ｌを収納している。【０００６】  ４６は引出の取ってである。該取っ手４６は各引出の前面に取り付けてあり引出の操作を容易にしている。４７はコロである。該コロは引出群４４，４５の各引出の底に４個づつ回転自在に取り付けてあり、各引出が前後、左右方向に軽く移動出来るようにしている。【０００７】  そこで各段の引出を前列は３本、後列は４本配置することにより前列については任意の引出を直接引出すことが出来ることは勿論であるが、後列の引出を引出したい場合例えば４５Ａを引出したい場合、上段前列の引出群４４Ａ、４４Ｂ、４４Ｃを右に寄せて当該引出４５Ａの前を空けることにより容易に後列の引出４５Ａを直接引出すことが出来る。同様にして中段及び下段、後列の所望の引出を引出すことが出来ると言う効果がある。
【発明の開示】
【発明が解決しようとする課題】
【０００８】  上記は奥行きが深い引出を有効に活用する上で優れた発想であるが、収納品が大きく引出の幅を大きくしたい場合、例えば前後各２個の引出を収納する場合、前列には１個しか収納できず残り１個の引出のスペースが無駄になる。各段の引出群内の数が多い場合でも前列には少なくとも１個分の空きスペースを設ける必要があるという問題がある。
【課題を解決するための手段】
【０００９】    本発明の第１の手段は請求項１に該当し、収納ケースの引出方向に直列に複数個の引出を収納する引出装置において該収納ケースの前面部に前記直列に収納されている引出を横方向又は上下方向に配列し得る支持具を備えるようにしている。【００１０】    本発明の第２の手段は請求項２に該当し、支持具は、少なくとも奥行きが引出の長さにほぼ等しく、幅が前記直列に収納された各引出の幅の総和に略等しい寸法を有し、その上面を前記収納ケースの仕切り板又は底板の上面と一致するように前記仕切り板又は底板の前面に支持された誘導板としている。【００１１】    本発明の第３の手段は請求項３に該当し、支持具は、その上面に引出の案内手段を備えている誘導板としている。【００１２】    本発明の第４の手段は請求項４に該当し、支持具は開時、前記収納ケースの底板又は仕切り板の上面に、その上面を一致させて支持され、閉時上方に旋回して該収納ケースの前面を覆うように前記収納ケースの底板又は仕切り板の前面部に旋回軸を介して開閉自在に固定されるようにしている。【００１３】    本発明の第５の手段は請求項５に該当し、本発明の第１の手段に於ける支持具は少なくとも最前列の引出を載置する座部を備えた昇降機構であって、前記収納ケース前面で少なくとも前記最後尾の引出が該引出の直前の引出の上面に容易に載置出来る位置まで下降して支持する位置制御機構を備えるようにしている。【００１４】  本発明の第６の手段は請求項６に該当し、支持具は最前列の引出が該引出の両側面に設けられた平行四辺形を成すリンク機構の一辺部で支持され、前記最前列の引出が、前記収納ケース前面で少なくとも前記直前の引出上面に容易に載置出来る位置まで下降して支持される様に収納ケース側の部材に前記四辺形の一辺に対向する一辺部で支持されているようにしている。【００１５】  本発明の第７の手段は請求項７に該当し、本発明の第１乃至第５の手段において、直列に配列されて収納されている複数の各引出の相対面に横方向又は上下方向に移動する引出過程においては離脱し、収納過程においては連結する連結器を備えるようにしている。
【発明の効果】
【００１６】  本発明の第１の手段によれば、収納ケース内で前後に並ぶ引出は、前列の引出が収納ケースより完全に引出された状態で横方向にずらせてから後列の引出を引出すことにより収納ケースの前面に前列と後列の引出を横方向又は上下方向に並べることが出来る。従って品物の取り出し、収納については前列の引出と後列の引出とは全く同じ条件で取り扱いが可能である。【００１７】  又前列、後列の引出を納める場合には後列の引出から順に収納ケースに納める。従って本引出装置においては収納ケース前面に相当する幅と、奥行きの半分の長さがあれば良く省スペース的で且つ前記した如く使い勝手がよいと言う効果は維持できる。【００１８】  本発明の第２の手段によれば、直列に収納されていた引出を収納ケースの前面に設けた誘導板上に引出を横に並べて作業が出来るために作業性が良く且つスペースの活用が十分に計られる。【００１９】  本発明の第３の手段によれば、引出が誘導板上より転落することを阻止する案内手段を設けているために例え高い場所での作業であっても引出が誘導板より転落する等事故の発生を未然に防止出来るという効果がある。又該案内手段により引出の引出し、収納作業をスムースに行うことが出来るという効果もある。【００２０】  本発明の第４の手段によれば、引出内の品物の取り出し収納を終えた後は該誘導板を収納ケース本体側に閉ざすことにより引出の前面美観を確保し且つ通行の邪魔になる誘導板を収納するという効果もある。【００２１】  本発明の第５の手段によれば最前列の引出を昇降機構により該収納ケースの前面で該引出の高さ程下降して支持することが出来る。これにより高い位置における引出から品物の収納、取出しの作業性を向上し且つ取り下ろし、持ち上げ作業の負担を軽減することが出来る。【００２２】  本発明の第６の手段によれば、リンク機構という簡単な機構で引出が上下方向に配列できるため簡単にして安価な構成とすることが出来る。【００２３】  本発明の第７の手段によれば、収納状態から引出される引出は柤互に連結されているため、最前列の引出に従って後列の引出も連なって引出されてくるために作業性が極めて良く一体の引出を扱っていると同様に利用できるという効果がある。
【発明を実施するための最良の形態】
【実施例１】
【００２４】  本発明装置の実施の形態の第１例を図１により詳細に説明する。図１は本発明になる引出装置の斜視１部破断図である。図１において１は本発明の引出装置である。該引出装置１において２は収納ケースである。該収納ケース２は仕切り板３により上下２段に仕切られている。８は前記収納ケース２の底板である。【００２５】  ４は前列の引出群である。又５は後列の引出群である。該引出群４，５は各々前記収納ケース２の内法幅のほぼ１／２の幅を持ち、奥行きは収納ケース２の奥行きのほぼ１／２の長さで、上段前列、左側より前列の引出４Ａ（以下前列の引出４Ａを引出４Ａと略称する。）、前列の引出４Ｂ（以下前列の引出４Ｂを引出４Ｂと略称する。）と２本の引出を収納している。前列下側には図示しない前列の引出４Ｃ（以下図示しない前列の引出４Ｃを引出４Ｃと略称する。）及び前列の引出４Ｄ（以下前列の引出４Ｄを引出４Ｄと略称する。）が収納されている。【００２６】  同様に後列も上段左から右へ図示しない後列の引出５Ａ（以下図示しない後列の引出５Ａを引出５Ａと略称する。），後列の引出５Ｂ（以下後列の引出５Ｂを引出５Ｂと略称する。）を、同様にして下段、後列には左から図示しない後列の引出５Ｃ（以下図示しない後列の引出５Ｃを引出５Ｃと略称する。）及び後列の引出５Ｄ（以下後列の引出５Ｄを引出５Ｄと略称する。）を収納している。【００２７】  ６及び７は各引出の取っ手群である。取っ手取っ手群６は、引出４Ａには取っ手６Ａが、引出４Ｂには取っ手６Ｂが、同様にして引出４Ｃには図示しない取っ手６Ｃ、引出４Ｄには図示しない取っ手６Ｄが夫々装着されている。同様にして後列上段の引出５Ａには図示しない取っ手７Ａが、引出５Ｂには図示しない取っ手７Ｂが、下段後列左から引出５Ｃには図示しない取っ手７Ｃが、引出５Ｄには図示しない取っ手７Ｄが夫々装着されている。【００２８】  １６及び１７は誘導板である。該誘導板１６は前記仕切板３の先端に図示しない蝶番の旋回軸を中心に上方に旋回して収納された引出４Ａ、引出４Ｂの前面を覆う形で収納ケース２の前面を閉じる。又開いた場合、該誘導板１６の上面が図示の如く仕切板３の上面と一致する位置で止まるように仕切板３の前面に旋回自在に螺止されている。誘導板１７は、収納ケース２の底板８の前面に誘導板１６と同様に図示しない蝶番により螺止されている。誘導板１６及び１７は図示しない蝶番と共に直列に配置した引出の総重量に十分耐える強度と剛性を保持している。【００２９】  １８Ａはフロントストッパである。該フロントストッパ１８Ａは前記誘導板１６の前端に設けてあり丁度前列の引出群４、又は後列の引出群５の何れかが収納ケース２の前面より引出された時に該引出の前進を抑止する位置に設けてある。１９Ａはサイドストッパである。該サイドストッパ１９Ａは誘導板１６の左サイドに設けてある。１９Ｂはサイドストッパである。該サイドストッパ１９Ｂは誘導板１６の右サイドに設けてある。該サイドストッパ１９Ａと１９Ｂの間隔は、引出群４及び引出群５のいずれかを引出す際に案内の機能を有し且つ前列及び後列の各引出を横に並べた際、各一個の幅の和に相当する間隔となるように設けてある。【００３０】    図２は図１��Ｅ矢視図である。図２において９Ｂは引出４Ｂの底に設けられた摺動板である。該摺動板９Ｂは、樹脂等の低摩擦係数の材料を使用し、引出の底にその四隅に沿って貼り付けてある。同様に９Ｂは引出５Ｂの底も設けられている。【００３１】  尚摺動板群９は共に図２に示す如く引出４Ｂには９Ｂが、引出５Ｂにも９Ｂが貼り付けてあるのと同様に、引出４Ａ、５Ａには図示しない摺動板９Ａが、４Ｃ、５Ｃには図示しない摺動板９Ｃが、４Ｄ、５Ｄには図示しない摺動板９Ｄが夫々、張り付けてある。【００３２】  図３は図２のＧ部拡大図で連結器を示す。図３において、１０Ｂは前連結片である。該前連結片１０Ｂは引出４Ｂの後端面に取り付けられている。１１Ｂは後連結片である。該後連結片１１Ｂは、引出５Ｂの前面かつ前記前連結片１０Ｂに契合する位置に装着されている。【００３３】  図４は図３のＦ−Ｆ断面図である。図４において１２Ｂは前記前連結片１０Ｂの空隙部である。該空隙部１２Ｂは横方向に開口する様に引出４Ｂの後面の上下方向の中心線にその上下中心線を一致させて装着してある。１４Ｂは前記後連結片１１Ｂの挿通部である。又１３Ｂは該挿通部４４Ｂの支持部である。該支持部１３Ｂは挿通部１４Ｂの右端になるように引出５Ｂの前面に取り付けてある。【００３４】  従って該挿通部１４Ｂは引出４Ｂが左方向に移動した時に前記前連結片１０Ｂの空隙部１２Ｂが離脱する位置にあり、連結状態では、前連結片１０Ｂの空隙部１２Ｂに契合して連結機能を果たしている。【００３５】  なお此処で前連結片群１０が、前列の引出群４の後面へ装着された状態と、後連結片群１１が後列引出群５の前面へ装着された状態を説明すると、
前連結片群１０の装着位置は凡て上記引出４Ｂの場合と同じである。一方後列引出群５の前面に対する後連結片群１１の取り付け向きは、後列の引出５Ｄは上記引出５Ｂと同じ向きに装着しているが、引出５Ａと引出５Ｃの場合、後連結片１１Ａ、１１Ｃはその向きが上記５Ｂ、５Ｄの場合の反対となり、支持部１３Ａ，１３Ｃは、挿通部１４Ａ，１４Ｃの左側、上下方向の中心線に対して線対称の位置に装着している。【００３６】  このように構成された引出装置の作用を図１乃至図５により説明する。図５は引出４Ｂ、引出５Ｂを収納ケース２から引出し、誘導板１６の上に配列した状態を示す斜視全体１部破断図である。
図１において取っ手６Ｂにより引出４Ｂを引出す。引出４Ｂの下面の摺動板９Ｂにより引出４Ｂは滑らかに動き出す。引出５Ｂは連結器Ａ１０と連結した連結器１１を介して共に動き出す。引出５Ｂもその下面の摺動板９Ｂにより滑らかに移動する。引出４Ｂの右下端は、右端のストッパ１９Ｂに沿う形で案内され、引出４Ｂの前面下端がフロントストッパ１８Ａに接触して停止する。この時、引出５Ｂの前面は前列の引出の前面と同じ位置まで引出されている。【００３７】  引出４Ｂの前面をフロントストッパ１８Ａに沿って左に移動させる。此の際も引出４Ｂは摺動板９Ｂにより軽く滑らかに移動する。引出４Ｂの右端下端がサイドストッパ１９Ａに当たるまで移動させる過程で、引出４Ｂ側の前連結片１０Ｂの空隙部１２Ｂが、引出５Ｂの後連結片１１Ｂの挿通部１４Ｂから抜け出し連結が解除されている。
又誘導板１６の右側には丁度、引出５Ｂのスペースが空いている。該引出５Ｂをその前面がフロントストッパ１８Ａに当たるまで引出すことにより図５に示すように上段右側の引出４Ｂ、引出５Ｂがその上面を露出した状態で収納ケース２の外に左から右へ配列される。【００３８】  引出４Ｂ、引出５Ｂを再び収納する場合には、先ず引出５Ｂをその前面が前列の引出の収納位置まで押し込み、続いて引出４Ｂをフロントストッパ１８Ａに沿って右に移動させ、その右端が右側サイドストッパ１９Ｂに当たるまで移動させる。すると引出４Ｂの前連結片１０Ｂの空隙部１２Ｂには引出５Ｂの後連結片１１Ｂの挿通部１４Ｂが挿通され連結を完了している。従って引出４Ｂを収納位置まで押し込めば収納は完了する。
上段左の引出４Ａ、引出５Ａについても同様にして誘導板１６の上に右から左へ引出４Ａ、引出５Ａを配置することが出来る。前述の方法と同様にして収納が出来る。【００３９】  下段の引出を引出すには、誘導板１６を図示しないヒンジを中心に上方上段前列の引出群４の前面を覆う形で閉じてから、前述の手順で全く同様にして右からの引出４Ｄ、引出５Ｄを誘導板１７上に左から右へ引出４Ｄ、引出５Ｄを配置することも、これを収納することもできる。更に図示しない引出４Ｃ、引出５Ｃを誘導板１７上に引出して右から左へ引出４Ｃ、引出５Ｃと配置することも、これを元に収納することもできる。
【実施例２】
【００４０】  本発明の実施の形態の第２例を図６乃至図８により説明する。図７は本発明になる他の引出装置の斜視全体１部破断図である。図８は図７に於ける前列の引出２３Ｂ、後列の引出２４Ｂを引出した状況を示めす斜視全体１部破断図である。図８は昇降装置についての説明のために示した図である。のついかせつめいのためのしめしたずである。【００４１】  図６において２０は引出装置である。該引出装置２０において２１は収納ケースである。該収納ケース２１は仕切り板により上下２段に仕切られている。２３は上段前列の引出群である。該前列の引出群２３（以下前列の引出群２３を引出群２３という。）は左から前列の引出２３Ａ（以下前列の引出２３Ａを引出２３Ａという。）、前列の引出２３Ｂ（以下前列の引出２３Ｂを引出２３Ｂという。）とより成る。２４は上段後列の引出群である。該後列の引出群２４（以下後列の引出群２４を引出群２４という。）は左から図示しない後列の引出２４Ａ（以下図示しない後列の引出２４Ａを引出２４Ａという。）及び後列の引出２４Ｂ（以下後列の引出２４Ｂを引出２４Ｂという。）とから成る。２５は上部レール群である。該上部レール群２５は左から上部レール２５Ａ、上部レール２５Ｂ、上部レール２５Ｃ、上部レール２５Ｄである。２６は下部レール群である。該下部レール群２６は、下部レール２５Ａ、下部レール２５Ｂ、下部レール２５Ｃ、下部レール２５Ｄである。これら上部レール群２５及び下部レール群２６は何れも長手方向に各一条の溝を有し、その前端はストッパ３１となっている。【００４２】  ２７は支持板群である。該支持板群２７は図示しない支持板２７Ａ、図示しない支持板２７Ｂ、図示しない支持板２７Ｃ、支持板２７Ｄである。前記上部レール群２５，下部レール群２６及び支持板群２７は、図６において上部レール２５Ａと下部レール２６Ａが引出２３Ａ及び引出２４Ａの左側に収納ケース２１の左端に沿って夫々の各一条の溝が向かい合い且つ平行となるように夫々収納ケース２１の天井板下面及び仕切り板２２の上面に固着して配置されている。【００４３】  同様に上部レール２５Ｂ、下部レール２６Ｂは引出２３Ａ及び引出２４Ａの右側に上部レール２５Ｂは収納ケース２１の天井下面に、下部レール２６Ｂは仕切り板の上面に各々の一条の溝が向かい合い且つ平行となるように固着して配置してある。同様に上部レール２５Ｃ下部レール２６Ｃ及び上部レール２５Ｄ及び下部レール２６Ｄ夫々が引出２３Ｂ及び引出２４Ｂの両側に夫々の一条の溝が互いに向かい合い且つ平行となるように固着して配置されている。図示しない支持板２７Ａは前記上部レール２５Ａ及び下部レール２６Ａの各々向かい合った一条の溝に前記引出２３Ａ、図示しない引出２４Ａに沿って摺動自在に嵌入されている。【００４４】  同様にして支持板２７Ｂは上部レール２５Ｂ及び下部レール２６Ｂに前記引出２３Ａ及び引出２４Ａに沿って摺動自在に嵌入されている。同様に図示しない支持板２７Ｃは上部レール２５Ｃと下部レール２６Ｃの各一条の溝に前列の引出２３Ｂ及び後列の引出２４Ｂに沿って摺動自在に嵌入され、支持板２７Ｄは、上部レール２５Ｄ及び下部レール２６Ｄの各一条の溝に前列の引出２３Ｂ及び後列の��出２４Ｂに沿って摺動自在に嵌入される。【００４５】  ２８及び２９はリンク群であり３０はリンクピンである。該リンク群２８及び２９は、図示しないリンク２８Ａ、２９Ａ及び２８Ｂ、２９Ｂ、２８Ｃ、２９Ｃ及び２８Ｄ、２９Ｄより成る。図６においてリンク２８Ｄと２９Ｄが対をなし、その先端側を前列の引出２３Ｂの略中央にリンクピン３０で上下方向に旋回自由に固定されている。又後端側は支持板２７Ｄの先端側に上下方向にリンクピン３０で上下方向に旋回自由に固定されている。【００４６】  これと同様にリンク２８Ａとリンク２９Ａの先端側は、引出２３Ａの左側面に図示しないピンジョイント３０で上下方向に旋回自由に固定され、その後端側は、図示しない支持板２７Ａの先端側上下方向に図示しないリンクピン３０で上下方向に旋回自由に固定されている。又図示しないリンク２８Ｂと２９Ｂはその先端を引出２３Ａの右側面で、その後端は支持板２７Ｂの先端側上下方向に図示しないリンクピン３０で夫々旋回自由に固定されている。各一組のリンクの４カ所のリンクピン３０を結ぶ四辺形が平行四辺形となるように且つ引出群２３の両側のリンクピンが同じ且つ垂直線上に配置されている。【００４７】  又図示しないリンク２８Ｃ及び２９Ｃも同様にして図示しない支持板２７Ｃにその先端で引出２３Ｂ左側面略中央部とリンクピン３０が連結し、且つその後端部を図示しない支持板の先端側をリンクピン３０で各々上下方向に旋回自由に固定されている。
尚取っ手６Ａは図１で説明したものと同じであるから同じ符号を付して説明を省略する。
下段の引出については図１で説明したものと全く同じであるから同じ符号を付して説明を省略する。【００４８】  次にその作用を説明する。図６において取っ手６Ｂにより前列の引出２３Ｂを引出すと、図示しない支持板２７Ｃ及び支持板２７Ｄは夫々図示しないリンク２８Ｃと２９Ｃ及びリンク２８Ｄと２９Ｄを介して前列の引出２３Ｂと共に上部レール２５Ｃと下部レール２６Ｃ、上部レール２５Ｄと下部レール２６Ｄを摺動して前方へ移動する。前記前列の引出２３Ｂが仕切り板２２の先端から外に出た所で引出２３は下降する。その位置で図示しない支持板２７Ｃ及び支持板２７Ｄは共にその先端で上のレール２５Ｃ、２５Ｄ及び下のレール２６Ｃ、２６Ｄのストッパ３１に当たる。【００４９】  リンク２８Ｃと２９Ｃ及び２８Ｄと２９Ｄは共に支持板２７Ｃと２７Ｄ及び引出の間で平行四辺形の関係を維持できるので、前列の引出２３Ｂは水平状態を保って下降しリンクロッド２９Ｄ及び図示しないリンクロッド２９Ｃの各下端が仕切り板の端に当たるか又は引出２３の後面が下の引出の前面に触れて止まる。この際引出の上面が仕切り板２２の上面と略同じ位置であることが好ましい。このような状態で前列の引出２３Ｂでの収納作業を終え後列の引出２４Ｂを引出２３の上面に図７に示す如く引出すことにより後列の引出内の収納、取り出し作業が容易に出来る。
引出を収納する場合は。引出す場合と手順を反対にすることで収納できる。【００５０】  尚本発明の例ではリンク２８Ｃと２９Ｃを用いた昇降装置の例について説明したが、他に図８（ａ）及び図８（ｂ）に示す昇降装置を用ることも出来る。図８（ａ），図８（ｂ）は共に昇降装置の斜視全体図である。尚説明の都合上支持板は破線で書いた。
図８（ａ）に於いて３２はレールである。該レール３２は内側に向かって凸形をなす契合部３２ａを有する。レール３２は左右の２本が、上下方向に平行となるように収納ケース２１の前面端部に取り付けてある。３３はフレームである。該フレーム３３は、水平方向に上下２本の強度部材を配置した構造で、その両端４カ所には契合片３３ｄを備えている。該契合片３３ｄは前記左右のレール３２の各々の契合部３３ａに内側から契合している。従って前記フレーム３３は前記左右のレール３２に案内されて上下方向に摺動自在に移動が可能であり且つレール３２から脱落することはなく且つ一定の姿勢に規制されている。【００５１】  前記フレーム３３の中央には、上下共に収納ケース２１側に向かって凸部３３ａを備えている。該凸部３３ａには、上側にはナット３３ｂが、下側にはベアリング３３ｃを該ナット３３ｂ及びベアリング３３ｃ各々上下方向の中心線の延長が一致し、且つ前記両端のレール３２と平行となるように固定されている。３４はスクリューロッドである。該スクリューロッド３４はその長手方向全長に亘りねじが切られており、その上端にハンドル３４ａを固定しその直下にベアリング３４ｂで回転自在に位置決め且つ支持されている。該スクリューロッド３４は前記フレーム３３の凸部３３ｂに固定されたナット３３ｂに螺合し、その下方のベアリング３３ｃに旋回自在且つ該スクリューロッドの軸方向に移動時在に挿通されている。前記ベアリング３４ｂは前記収納ケース２１の天井板にその外周を固定する。【００５２】  ３５は支腕である。該支腕３５はその先端部に突起３５ａを有する。又その付け根部は前記フレーム３３の両端に各々、その上下の端を支持され且つ上下方向に挿通されたピン３５ｂにより水平方向に旋回自在に連結されている。
３６は支持板である。該支持板３６はその収納ケース２１側に２個の蝶番３６ａをその枢軸が該支持板の端に沿う位置に固定してある。該蝶番はフレーム３３の上側部材の上面にその枢軸が該フレームの右端に沿い且つ該支持板３６が右上方向に開閉自在に固定している。【００５３】  次に作用を説明する。支持板３６を支腕３５上に広げた場合前記支持板３６の図示しない穴が支腕３５突起３５ａに契合して支腕３５スクリューロッド３４のハンドル３４ａを回転操作することによりその回転はナット３３ｂ、フレーム３３を介して支持板３６はレール３２の範囲内で任意の位置に移動し且つ停止することが出来る。これにより前記引出２３Ａ、２４Ａはスクリューロッド３４の左側に。前記引出２３Ｂ、２４Ｂはスクリューロッド３４の右側に夫々上下に積んで処理することが出来る。尚レール３２及びスクリューロッド３４の長さは支持板の上面が当該引出の仕切り板２２の上面高さと同一面に停止でき且つ積み上げる引出の最後の引出が容易に直前の引出の上に載せられる位置まで下げられる範囲に決めればよい。【００５４】  又これを使用しない場合には所定の位置において支持板３６を右上方向に収納し且つ両端の支腕３５を内側に旋回させてフレーム３３内に収容することが出来る。【００５５】  図８（ｂ）は支持板の位置制御を簡素化して図８（ａ）におけるスクリューロッド３４に代えてレール３２に予め所定位置に開けた穴にピンを差し込むことにより位置制御をするようにしたものであるから図８（ａ）と共通の部分には、同じ符号を付して説明を省略する。
図８（ｂ）において３７はレールである該レール３７には所定の間隔でピン穴３７ａが穿孔してある。３７ｃは支腕３５に穿孔されたピン穴である該ピン穴３７ｃは前記レールに穿孔されたピン挿通穴３７ａと一致し且つ支腕上の支持板３６が所定の位置に停止できるように位置決めしてある。３７ｂは挿通ピンである。該挿通ピン３７ｂは、前記レールに穿孔されたピン穴３７ａ及び支腕３５に穿孔されたピン穴３７ｃに容易に挿通可能なサイズに仕上げてある。【００５６】  次にその作用を説明する。支持板３６は支腕３５，フレーム３３を介してレールに誘導されて上下方向に摺動自在に移動が可能である。従って引出を支持板３６上に積み上げていく過程で必要に応じて所定の位置に停止している支持板３６を挿通ピン３７ｃを抜き支持板を所要位置まで移動させてその近傍の挿通ピン３７ｃが挿通可能な位置に合わせた後挿通ピン３７ｃを挿通して停止させることが出来る。【００５７】  本発明を実施するための最良の形態として２例を挙げ、特に昇降機構については他の応用例を挙げて補足説明をしたが、本発明はこれに限定されるものではない。即ち実施例２例共、前後２個の引出について説明したがこれと全く同様にして引出を前後３個とすることも、４個とすることも可能である。即ち実施例１の場合誘導板１６，１７の幅に合わせて３個又は４個の引出の幅を決めればよいことになる。又上下２段と限定するものではなく３段でも４段でも良い。又実施例２に於いては最前列の引出がその上に２個又は３個乗せられる位置まで下げる昇降機構を設けることで成立する。【００５８】  連結器については、実施例１で説明した連結器の取り付けを９０度回転させ、前の引出を下に下ろす過程で連結が外れ、下から収納高さまで上げる過程で連結が完了する事も可能である。又最前列の前面に連結片１１を、最後列の最高面に連結片１０を夫々追加することにより、引出の前後関係を自由に入れ替えることも可能である等、特許請求の範囲の要旨を逸脱しない範囲で変更は自由であることは勿論である。
【産業上の利用可能性】
【００５９】  以上実施の形態の２例について説明した通り、本発明により奥行きの深い引出に適用して効果を発揮するものであるから
１．  ベッドのフレームの下に設けた引出に適用しする事が出来る。
２．  家具、事務用収容具、押入に収容して使用するキャビネットの引出に適用するこ      ともできる。
３．  貴金属、装飾品の小物入れに適用できる。
４．  エレクトロニクス関係等小物部品を多種類保管使用する工場、研究機関の小物入      れに適用できる。
【図面の簡単な説明】
【００６０】
【図１】本発明の実施の形態の第１例を示す図の斜視全体一部破断図である。
【図２】図１のＥ矢視図である。
【図３】図２のＧ部詳細図である。
【図４】図３のＦ−Ｆ断面図である。
【図５】図１の上部右側の引出を引出配列した斜視全体１部破断図である。
【図６】本発明の実施の第２例をす示す斜視全体一部破断図である。
【図７】本発明の実施の第２例の引出を引出した状態を示す斜視全体１部破断図である。
【図８】（Ａ）昇降機構の一例を示す斜視全体図である。（Ｂ）昇降機の別の例を示す斜視全体図である。
【図９】従来技術を説明する斜視全体図である。
【符号の説明】
【００６１】１、２０、４０    引出装置
２、２１、４１    収納ケース
３、２２、４２，４３  仕切り板
４、２３、４４  前列の引出群
４Ａ、４Ｂ、４Ｃ、４Ｄ、２３Ａ，２３Ｂ，４４Ａ，４４Ｂ、４４Ｃ，４４Ｄ，４４Ｅ，４４Ｆ，４４Ｇ４４Ｈ，４４Ｉ  前列の引出
５、２４、４５  後列の引出群
５Ａ，５Ｂ，５Ｃ，５Ｄ、２４Ａ、２４Ｂ、２５Ａ，２５Ｂ，２５Ｃ，２５Ｄ，２５Ｅ，２５Ｆ，２５Ｇ，２５Ｈ、２５Ｉ、２５Ｊ、２５Ｋ、２５Ｌ  後列の引出
６Ａ，６Ｂ，６Ｃ，６Ｄ、７Ａ、７Ｂ、７Ｃ、７Ｄ  取っ手
１０  前連結片群
１１  後連結片群
１２Ａ，１２Ｂ，１２Ｃ，１２Ｄ  空隙部
１３Ａ，１３Ｂ，１３Ｃ，１３Ｄ  支持部
１４Ａ，１４Ｂ，１４Ｃ，１４Ｄ  挿通部
１６  、１７  誘導板
１８Ａ，１８Ｂ  フロントストッパ
１９Ａ，１９Ｂ    サイドストッパ
２５  上側レール群
２５Ａ，２５Ｂ，２５Ｃ，２５Ｄ  上側レール
２６  下側レール群
２６Ａ，２６Ｂ，２６Ｃ，２６Ｄ  下側レール
２７  支持板群
２７Ａ，２７Ｂ，２７Ｃ，２７Ｄ  支持板
２８  リンクロッド群
２８Ａ，２８Ｂ，２８Ｃ，２８Ｄ  リンクロッド
２９  リンクロッド群
２９Ａ，２９Ｂ，２９Ｃ，２９Ｄ  リンクロッド
３０  ピンジョイント
３１  ストッパ
３２、３７  レール
３２ａ  契合部
３３  フレーム
３３ａ  凸部
３３ｂ  ナット
３３ｃ  ベアリング
３３ｄ  契合片
３４  スクリューロッド
３４ａ  ハンドル
３４ｂ  ベアリング
３５  支腕
３５ａ  突起
３５ｂ  ピン
３６  支持板
３６ａ  蝶番
３７ｃ  ピン穴
４６  引出の取っ手
４７  コロ
【図１】
2005288082.tif 000003
【図２】
2005288082.tif 000004
【図３】
2005288082.tif 000005
【図４】
2005288082.tif 000006
【図５】
2005288082.tif 000007
【図６】
2005288082.tif 000008
【図７】
2005288082.tif 000009
【図８】
2005288082.tif 000010
【図９】
2005288082.tif 000011